(57)【要約】      （修正有）【課題】採熱後の地下水を農業用ハウス等における積雪時の融雪や、夏季の冷却のために有効活用し、一定の水圧で均等に散水できる地下水の散水システムを提供する。【解決手段】散水ユニット１０は、通水管１１と、通水管に採熱後の地下水を送出する散水ポンプＰ３と、通水管から分岐し、一列に配列された複数の散水ユニットＵ１〜Ｕ３と、を備える。各散水ユニットは、通水管から上方に分岐して、水平方向に延びた分岐通水管１２と、分岐通水管の水平延在部１２ｂから更に上方に分岐し、水平方向に延びた複数の散水管１３ａ〜１３ｄと、各散水管の水平延在部に沿って一列に形成された複数の散水口と、複数の散水口を上方からカバーし、かつ水平方向に延びた断面半円弧状の飛散カバーと、を備える。【選択図】図２
0003198289.tif 000002
【実用新案登録請求の範囲】
【請求項１】
通水管（１１）と、
前記通水管（１１）に採熱後の地下水を送出するポンプ（Ｐ３）と、
前記通水管（１１）から分岐し、一列に配列された複数の散水ユニット（Ｕ１〜Ｕ３）と、を備え、
各散水ユニット（Ｕ１〜Ｕ３）は、前記通水管（１１）から上方に分岐して、水平方向に延びた分岐通水管（１２）と、
前記分岐通水管（１２）の水平延在部（１２ｂ）から更に上方に分岐して、水平方向に延びた複数の散水管（１３ａ〜１３ｄ）と、
各散水管（１３ａ〜１３ｄ）に沿って一列に形成された複数の散水口（１６）と、
前記複数の散水口（１６）を上方からカバーし、かつ水平方向に延びた断面半円弧状の飛散カバー（１４）と、を備えることを特徴とする地下水の散水システム。
【請求項２】
前記分岐通水管（１２）の上方延在部（１２ａ）は、前記水平延在部（１２ｂ）の中央に接続され、
前記水平延在部（１２ｂ）は、各散水管（１３ａ〜１３ｄ）の中央に接続され、
前記複数の散水管（１３ａ〜１３ｄ）は、前記水平延在部（１２ｂ）の中央に対して左右対称の位置で、かつ互いに等間隔の位置で前記水平延在部（１２ｂ）に接続され、
前記複数の散水口（１６）は、各散水管（１３ａ〜１３ｄ）の中央に対して左右対称の位置に、かつ互いに等間隔に配置されていることを特徴とする請求項１に記載の地下水の散水システム。
【請求項３】
前記地下水と冷媒との熱交換を行う熱交換器（３）と、
前記熱交換器（３）により熱交換された後の冷媒に対して、圧縮と膨張を交互に繰り返すヒートポンプ（４）と、を備え、
前記熱交換器（３）により熱交換された後の地下水を前記通水管（１１）に流すよ
うに構成したことを特徴とする請求項１または２に記載の地下水の散水システム。
【請求項４】
前記複数の散水ユニット（Ｕ１〜Ｕ３）の散水管（１３ａ〜１３ｄ）を農業用ハウスの屋根頂上部に沿って一列に配置したことを特徴とする請求項１乃至３のいずれかに記載の地下水の散水システム。
【請求項５】
前記分岐通水管（１２）の上方延在部（１２ａ）に三方弁（ＢＸ）が取り付けられ、この三方弁（ＢＸ）の切り替えにより、前記散水管（１３ａ〜１３ｄ）の中の地下水を排水可能としたことを特徴とする請求項１乃至４のいずれかに記載の地下水の散水システム。
【考案の詳細な説明】
【技術分野】
【０００１】
本考案は、地下水の散水システムに関する。
【背景技術】
【０００２】
従来、地下水を熱源として利用した熱交換器、ヒートポンプ式冷暖房システムが知られている。特許文献１には、地下水を熱源とした熱交換器及び冷房システムが記載されている。特許文献２には、地下水を熱源としたヒートポンプ式冷暖房システムが記載されている。
【先行技術文献】
【特許文献】
【０００３】
【特許文献１】特開２０１４−２０２３６４号公報
【特許文献２】特開２０１４−１１５０１６号公報
【考案の概要】
【考案が解決しようとする課題】
【０００４】
しかしながら、特許文献１，２に記載されたシステムでは、熱交換器により採熱された後の地下水は再び地中等に排水され、他の目的には有効に活用されていなかった。
【０００５】
そこで、本考案は、採熱後の地下水を農業用ハウス等における積雪時の融雪や、夏季の冷却のために有効活用することができ、特に、ハウス屋根面等に地下水を一定の水圧で均等に散水することができる散水システムを提供することを目的とする。
【課題を解決するための手段】
【０００６】
上述の課題に鑑み、本考案による地下水の散水システムは、通水管（１１）と、  前記通水管（１１）に採熱後の地下水を送出するポンプ（Ｐ３）と、  前記通水管（１１）から分岐し、一列に配列された複数の散水ユニット（Ｕ１〜Ｕ３）と、を備える。そして、各散水ユニット（Ｕ１〜Ｕ３）は、前記通水管（１１）から上方に分岐して、水平方向に延びた分岐通水管（１２）と、前記分岐通水管（１２）の水平延在部（１２ｂ）から更に上方に分岐し、水平方向に延びた複数の散水管（１３ａ〜１３ｄ）と、各散水管（１３ａ〜１３ｄ）の水平延在部に沿って一列に形成された複数の散水口と、前記複数の散水口を上方からカバーし、かつ水平方向に延びた断面半円弧状の飛散カバー（１４）と、を備えることを特徴とする。
【考案の効果】
【０００７】
本考案によれば、採熱後の地下水を農業用ハウス等における積雪時の融雪や、夏季の冷却のために有効活用することができ、特に、屋根面等に地下水を一定の水圧で均等に散水することができる散水システムを提供することができる。
【図面の簡単な説明】
【０００８】
【図１】本考案の実施形態における地下水の散水システムを含む地下水利用冷暖房システムを示す図である。
【図２】本考案の実施形態における地下水の散水システムを示す正面図である。
【図３】図２の１つの散水ユニットの拡大図である。
【図４】図３の１つの散水管の拡大図である。
【図５】図４の散水管の側面図である。
【図６】本考案の実施形態における地下水の散水システムによる散水の様子を示す図である。
【図７】散水ポンプによる地下水の揚程を説明する図である。
【考案を実施するための形態】
【０００９】
次に、本考案の実施形態における地下水の散水システムを図１乃至図７に基づいて説明する。先ず、地下水の散水システムを含む地下水利用冷暖房システム全体を図１に基づいて説明する。
【００１０】
このシステムは、地表に掘削された井戸１からポンプで揚水された地下水を貯水する第１の貯水タンク２と、第１の貯水タンク２からの地下水と、冷媒（例えば、水）との熱交換を行う熱交換器３と、圧縮器と膨張弁を有し、熱交換器３により熱交換された後の冷媒に対して、圧縮と膨張を交互に繰り返すヒートポンプ４と、ヒートポンプ４に接続され、ヒートポンプ４からの冷媒が循環する室内機５（室内熱交換器）を備える。また、熱交換器３の冷媒管にはポンプＰ１が設けられ、ヒートポンプ４側の冷媒管にはポンプＰ２が設けられている。
【００１１】
ヒートポンプ４を作動させずに、熱交換器３からの冷媒を室内機５に直接循環させて冷暖房運転を行う時は、電磁弁Ｂ１，Ｂ２を開き、電磁弁Ｂ３を閉じることにより、ヒートポンプ４をバイパスする冷媒循環路を形成する。一方、ヒートポンプ４を作動させて冷暖房運転を行うときは、逆に、電磁弁Ｂ１，Ｂ２を閉じ、電磁弁Ｂ３を開くことにより、ヒートポンプ４を介した冷媒循環路を形成する。
【００１２】
地下水の散水システム１０は、熱交換器３により熱交換された後の地下水、つまり採熱された後の地下水を農業用ハウス等における積雪時の融雪や、夏季の冷却のために有効活用するものである。そのため、熱交換器３により熱交換された後の地下水を散水するための散水システム１０を設けた。この場合、熱交換器３による熱交換に影響を与えないようにするために、熱交換器３から流出した地下水を第２の貯水タンク６に貯水し、第２の貯水タンク６に貯留された地下水を散水システム１０に送出するようにしている。
【００１３】
次に、散水システム１０の構成を図２乃至図７に基づいて説明する。図２に示すように、散水システム１０は、水平方向に延びた通水管１１と、第２の貯水タンク６からの地下水を通水管１１に送出する散水ポンプＰ３と、通水管１１から分岐し、通水管１１に沿って一列に配列された３つの散水ユニットＵ１〜Ｕ３と、を備える。
【００１４】
各散水ユニットＵ１〜Ｕ３は、それぞれ、通水管１１から上方に、好ましくは垂直上方に分岐して、水平方向に延びた分岐通水管１２を備える。分岐通水管１２は、上方延在部１２ａと、この上方延在部１２ａの上端に接続された水平延在部１２ｂから構成される。そして、分岐通水管１２の水平延在部１２ｂから更に上方に、好ましくは垂直上方に分岐し、水平方向に延びた散水管１３ａ〜１３ｄが設けられている。
【００１５】
また、各散水管１３ａ〜１３ｄの水平延在部に沿って一列に複数の散水口１６が形成されている（図６，７を参照）。
【００１６】
この場合、各散水口１６に対して同じ供給圧（水圧）を加えるために、散水ユニットＵ１〜Ｕ３は以下のように構成される。すなわち、分岐通水管１２の上方延在部１２ａは、その水平延在部１２ｂの中央に接続される。また、分岐通水管１２の水平延在部１２ｂは、各散水管１３ａ〜１３ｄの上方延在部を介して、各散水管１３ａ〜１３ｄの水平延在部の中央に接続される。
【００１７】
また、複数の散水管１３ａ〜１３ｄは、分岐通水管１２の水平延在部１２ｂの中央に対して左右対称の位置で、かつ互いに等間隔の位置で分岐通水管１２の水平延在部１２ｂに接続される。さらに、複数の散水口１６は、各散水管（１３ａ〜１３ｄ）の水平延在部の中央に対して左右対称の位置に、かつ互いに等間隔に配置されている。各散水口１６から同じ量の水を出すためには、各散水口１６は同じ大きさに設定される。
【００１８】
そして、これらの散水口１６を上方からカバーする飛散カバー１４が、散水管１３ａ〜１３ｄ毎に設けられている。飛散カバー１４は、散水管１３ａ〜１３ｄの水平延在部に沿って水平方向に延び、断面半円弧状の形状を有している。飛散カバー１４は、例えば屋根面を流れる雨水を集める樋を利用し、これをひっくり返しにして配置することで形成することができ、取り付け金具１５により、散水管１３ａ〜１３ｄに取り付けられる（図３乃至図５を参照）。
【００１９】
そして、図６に示すように、散水ポンプＰ３を作動させ、散水管１３ａ〜１３ｄの各散水口１６を介して飛散カバー１４に地下水を噴水することにより、地下水を飛散させる。この散水システム１０の構成によれば、地下水は散水管１３ａ〜１３ｄの各散水口１６から一定の水圧、つまり一定の揚程（散水ポンプＰ３により地下水が揚がる高さ）で噴水される。
【００２０】
これは、散水システム１０が上述のような分岐配管構造を有すること、つまり通水管１１から分岐した散水ユニットＵ１〜Ｕ３を備え、それぞれの散水ユニットＵ１〜Ｕ３が、分岐通水管１２と、分岐通水管１２から更に分岐した散水管１３ａ〜１３ｄによって構成されているからである。
【００２１】
詳しくは、図６に示すように、散水ユニットＵ１〜Ｕ３の散水管１３ａ〜１３ｄを農業用ハウス（植物栽培用ハウス等）の三角屋根頂上部に沿って一列に配置する。散水口１６から噴水され、飛散カバー１４の内側湾曲面に衝突した地下水は、跳ね返って屋根面１７を流れ落ちる。
【００２２】
この場合、上述のように、地下水が、散水口１６の位置によらず一定の揚程で噴水されこと、並びに、飛散カバー１４が散水口１６に沿って水平方向に延び、断面半円弧状の形状を有していることの結果として、地下水は、図６の屋根面１７を均一に流れ落ちることになる。
【００２３】
これにより、熱交換器３による採熱後の地下水を農業用ハウス等における積雪時の融雪や、夏季の冷却のために有効活用することができる。また、この散水システム１０は、これらの用途に限らず、他の用途、例えば建造物の屋根等に設置される太陽電池パネルの洗浄のために用いることもできる。
【００２４】
図７は、散水ポンプＰ３よる地下水の揚程を説明する図である。散水ポンプＰ３から散水口１６までの揚程はｈ１であり、散水口１６から上方の揚程はｈ２である。散水ポンプＰ３の全揚程は、Ｈ＝ｈ１＋ｈ２である。散水口１６から飛散カバー１４までの高さはｈ３である。飛散カバー１４に十分な速度で地下水を噴水するために、例えば、ｈ３が１５ｃｍとすると、ｈ２は４〜５ｍとなるように散水ポンプＰ３の能力を設定するとよい。
【００２５】
散水ユニットＵ１〜Ｕ３と散水管１３ａ〜１３ｄの個数や、地下水の水量は、散水システム１０が適用される建造物の大きさに応じて適宜変更できるが、標準的な農業用ハウスの場合、散水ユニットＵ１〜Ｕ３の全体の長さ（３ユニット合計）は例えば４５ｍ、通水管１１を流れる地下水の水量は、例えば３２〜４０リットル／ｍｉｎである。
【００２６】
また、散水ユニットＵ１〜Ｕ３における分岐通水管１２の上方延在部１２ａに三方弁ＢＸを取り付け、この三方弁ＢＸの切り替えにより、散水管１３ａ〜１３ｄの中の地下水を排水可能とすることもできる。すなわち、散水システム１０を使用しない時、散水管１３ａ〜１３ｄの中の地下水を、三方弁ＢＸを介して排水することにより、散水管１３ａ〜１３ｄの中の地下水の凍結を防止することができる。
【符号の説明】
【００２７】
１  井戸
２  第１の貯水タンク
３  熱交換器
４  ヒートポンプ
５  室内機
６  第２の貯水タンク
１０  散水システム
１１  通水管
１２  分岐通水管
１２ａ  上方延在部
１２ｂ  水平延在部
１３ａ〜１３ｄ  散水管
１４  飛散カバー
１５  取り付け金具
１６  散水口
Ｕ１〜Ｕ３  散水ユニット
Ｐ１〜Ｐ３  ポンプ
Ｂ１〜Ｂ３  電磁弁
ＢＸ  三方弁
【図１】
0003198289.tif 000003
【図２】
0003198289.tif 000004
【図３】
0003198289.tif 000005
【図４】
0003198289.tif 000006
【図５】
0003198289.tif 000007
【図６】
0003198289.tif 000008
【図７】
0003198289.tif 000009